(57)【要約】【課題】  二次元コードが示す情報源からの情報を、パーソナルコンピュータ等の大型画面を有する他の機器で取得することを可能にする。【解決手段】  撮影したＱＲコードを認識処理し（Ｓ１０１）、この認識の結果を表示部に表示出力する（Ｓ１０２）。これにより、表示部にはＱＲコード中に含まれていたＵＲＬが表示される。また、「自分宛メール」を含むメニューが表示された状態から、ユーザがこれを選択すると、この自分宛メールの項目の選択を受け付ける（Ｓ１０５）。メール作成画面を表示させ（Ｓ１０６）、自分のＰＣ用のメールアドレスを読み出し、この読み出した自分のＰＣ用のメールアドレスをメール作成画面において、宛先に入力して表示する（Ｓ１０７）。しかる後にユーザがメールの送信を指示すると、前記ＵＲＬ１が本文中に存在するメールが自分のＰＣに送信される。【選択図】    図７
2006072788.tif 000002
【特許請求の範囲】
【請求項１】
二次元コードを読み取る読取手段と、
この読取手段により読み取られた二次元コードに含まれているネットワーク上におけるアクセス情報を認識する認識手段と、
この認識手段により認識されたアクセス情報を所定の外部機器に送信するための送信手段と
を備えることを特徴とする携帯機器。
【請求項２】
前記読取手段は、前記二次元コードを撮像する撮像手段であることを特徴とする請求項１記載の携帯機器。
【請求項３】
前記認識手段により認識されたアクセス情報を含むメール文書を作成するメール作成手段をさらに備え、
前記送信手段は、前記メール作成手段により作成された前記アクセス情報を含むメール文書を、前記外部機器にネットワークを介して送信することを特徴とする請求項１又は２記載の携帯機器。
【請求項４】
前記外部機器は、当該携帯機器のユーザが操作するものであり、且つ、ネットワーク接続機能及び表示機能を有することを特徴とする請求項１、２又は３記載の携帯機器。
【請求項５】
ネットワークを介して接続される携帯機器と他の機器とで構成される情報送受信システムであって、
前記携帯機器は、
二次元コードを読み取る読取手段と、
この読取手段により読み取られた二次元コードに含まれているネットワーク上におけるアクセス情報を認識する認識手段と、
この認識手段により認識されたアクセス情報を前記他の機器に前記ネットワークを介して送信するための送信手段とを備え、
前記他の機器は、
前記アクセス情報を、前記ネットワークを介して受信する受信手段を備える
ことを特徴とする情報送受信システム。
【発明の詳細な説明】
【技術分野】
【０００１】
本発明は、二次元コードを読み取る機能を備えた携帯機器、この携帯機器と他の機器とで構成される情報送受信システムに関する。
【背景技術】
【０００２】
従来、ＱＲコード（登録商標）と称される幾何学的なドットパターンの集合情報からなる二次元コードを利用した情報提供サービスが提案されるに至っている。この情報提供サービスは、広告主が情報センターに広告に関する情報を登録すると、情報センターは、広告固有の広告内容識別情報を広告依頼主に付与する。広告依頼主は、広告内容情報を示すＱＲコードを広告媒体に印刷するように広告主に依頼する。広告を見た利用者が広告に関する情報を得たいときは、撮影機能を備えた携帯電話によりＱＲコードを撮影する。携帯電話は、撮影したＱＲコードが示すＷｅｂサイトのＵＲＬ(Uniform Resource Locator)を解読するので、ユーザは当該携帯電話からＷｅｂサイトのＵＲＬが示す情報センターにアクセスし、広告に関する詳細情報をダウンロードして、当該携帯電話の表示部に表示させることができる（例えば、特許文献１参照。）。
【特許文献１】特開２００２−１１１９０９号公報
【発明の開示】
【発明が解決しようとする課題】
【０００３】
しかしながら、携帯電話の表示部にあっては、その視認性を確保すべく大型化が図られてはいるものの、携帯性を有するが故にその表示面積には限りがある。一方、ダウンロードされる広告に関する情報は表示情報が増大する傾向、あるいは情報が緻密化する傾向にある。このため、詳細情報をダウンロードして、携帯電話の表示部に表示させても、視認性が悪く、ユーザにおいて、情報を詳細に閲覧、検討することが困難となる場合が生ずる。
【０００４】
本発明は、このような従来の課題に鑑みてなされたものであり、二次元コードが示す情報源からの情報を、パーソナルコンピュータ等の大型画面を有する他の機器で取得することを可能にするための携帯機器、及び情報送受信システムを提供することを目的とするものである。
【課題を解決するための手段】
【０００５】
前記課題を解決するため請求項１記載の発明に係る携帯機器にあっては、二次元コードを読み取る読取手段と、この読取手段により読み取られた二次元コードに含まれているネットワーク上におけるアクセス情報を認識する認識手段と、この認識手段により認識されたアクセス情報を所定の外部機器に送信するための送信手段とを備える。
【０００６】
したがって、この携帯機器において、広告媒体等に印刷されている二次元コードを読み取って、この二次元コードに含まれているネットワーク上におけるアクセス情報を認識し得るのみならず、この認識したアクセス情報を所定の外部機器に送信することができる。これにより、外部機器においては、アクセス情報に基づきネットワーク上の情報源にアクセスして情報をダウンロードし、これを大型の画面上に表示することも自在となる。
【０００７】
また、請求項２記載の発明に係る携帯機器にあっては、前記読取手段は、前記二次元コードを撮像する撮像手段である。したがって、所謂カメラ付き携帯を用いて、外部機器がアクセス情報に基づきネットワーク上の情報源にアクセスして情報をダウンロードすることが可能となる。
【０００８】
また、請求項３記載の発明に係る携帯機器にあっては、前記認識手段により認識されたアクセス情報を含むメール文書を作成するメール作成手段をさらに備え、前記送信手段は、前記メール作成手段により作成された前記アクセス情報を含むメール文書を、前記外部機器にネットワークを介して送信する。したがって、電子メールシステムを有効利用して、外部機器がアクセス情報に基づきネットワーク上の情報源にアクセスして情報をダウンロードすることが可能となる。
【０００９】
また、請求項４記載の発明に係る携帯機器にあっては、前記外部機器は、当該携帯機器のユーザが操作するものであり、且つ、ネットワーク接続機能及び表示機能を有する。したがって、ユーザは自己が所有する外部機器を用いて、アクセス情報が示す情報源からの情報をダウンロードして、これを表示させることが可能となる。
【００１０】
また、請求項４記載の発明に係情報送受信システムにあっては、ネットワークを介して接続される携帯機器と他の機器とで構成される情報送受信システムであって、前記携帯機器は、二次元コードを読み取る読取手段と、この読取手段により読み取られた二次元コードに含まれているネットワーク上におけるアクセス情報を認識する認識手段と、この認識手段により認識されたアクセス情報を前記他の機器に前記ネットワークを介して送信するための送信手段とを備え、前記他の機器は、前記アクセス情報を、前記ネットワークを介して受信する受信手段を備える。したがって、他の機器がアクセス情報に基づきネットワーク上の情報源にアクセスして情報をダウンロードすることが可能となる。
【発明の効果】
【００１１】
以上説明したように、本発明にかかる携帯機器によれば、広告媒体等に印刷されている二次元コードを読み取って、この二次元コードに含まれているネットワーク上におけるアクセス情報を認識し得るのみならず、この認識したアクセス情報を所定の外部機器に送信することができる。これにより、外部機器においては、アクセス情報に基づきネットワーク上の情報源にアクセスして情報をダウンロードし、これを大型の画面上に表示することも自在となる。よって、ユーザは二次元コードに含まれているアクセス情報が示す情報源からの情報を大型画面で詳細に閲覧し、検討することが可能となる。
【００１２】
また、本発明に係る情報送受信システムによれば、他の機器がアクセス情報に基づきネットワーク上の情報源にアクセスして情報を容易にダウンロードすることが可能となるシステムを構築することができる。よって、ユーザは二次元コードに含まれているアクセス情報が示す情報源からの情報を大型画面で詳細に閲覧し、検討することが可能となる。
【発明を実施するための最良の形態】
【００１３】
以下、本発明を携帯電話によるメール送受信システムに適用した実施の形態を図に従って説明する。
【００１４】
（第１の実施の形態）
図１は、本実施の形態に係る情報送受信システムの構成を示すブロック図である。図において、携帯電話（携帯機器）１は、撮像機能、メールをシステム（特に、後述するメールサーバ３３、６３）に送信する機能、メールを受信する機能、及び通話機能を備えている。無線基地局２は、携帯電話１が加入する通信サービス事業者（インターネットプロバイダを含む）３に接続する。
【００１５】
通信サービス事業者（インターネットプロバイダを含む）３は、主なサービスとして提供している携帯電話サービスに必要とする交換機３４の他、後述のＷＷＷ５に接続するためのシステム（メインサーバ３１、Ｗｅｂサーバ３２、ルータ３５）、メールシステム（メールサーバ３３）を備えている。また、無線基地局２をＡＰ（アクセス・ポイント）として、携帯電話１をＷＷＷ５に接続させるための機能も備えている。
【００１６】
通信回線網４は、アナログ回線、デジタル回線、広域ＬＡＮ、ＡＤＳＬ回線を含む、既知の通信回線網であり、ＷＷＷ５は所謂インターネットである。
【００１７】
インターネットサービスプロバイダ（以下、ＩＳＰと称す）６は、交換機３４を除いて、通信サービス事業者３と同じ構成であり、ＷＷＷ５に接続するためのシステム（便宜的にメインサーバ６１、Ｗｅｂサーバ６２、ルータ６５）、メールシステム（メールサーバ６３）を備えている。パーソナルコンピュータ（以下、ＰＣと称す）７は、本実施の形態においては携帯電話１と同一のユーザの家庭に存在するものであり、通信回線網４、ＩＳＰ６を介して、ＷＷＷ５に接続したり、メールの送受信を行う機能を備えている。無論、ＰＣ７は後述する携帯電話１の表示部１３よりも遙かに大きな表示面積を有する画面７１を備えている。
【００１８】
図２（ａ）（ｂ）は、携帯電話１の外観図（開状態：正面図及び背面図）である。本実施の形態における携帯電話１は、蓋部と本体部とからなる二つ折りの構造である。アンテナ１１は、蓋部の背面に設けられており、伸縮自在となっている。スピーカ１２は、蓋部の前面側に設けられており、音声出力を行う。表示部（メイン表示部）１３は、ＱＶＧＡクラスの解像度を備えるカラー液晶であり、２４０ドット（幅）×３２０ドット（高さ）である。
【００１９】
キー操作部１４は、本体部の前面に設けられており、各種機能キー（メールキー１４１、アドレスキー１４２、ファンクションキー１４３）、十字キー１４５、センターキー１４６、テンキー１４４などからなる。メールキー１４１は、メール機能を起動し、メールメニューを表示し、あるいはメールの送信を指示するためのものである。アドレスキー１４２は、送信先のメールアドレスを選択する際に用いるアドレス帳を開くためのものである。十字キー１４５は、モード等を選択するためのカーソル移動時に操作され、センターキー１４６は各種モードの決定時に操作されるとともに、カメラモードにおいてシャッターキーとして機能する。テンキー１４４は、電話番号や文字の入力の際に使用するものである。マイク１５は、本体部の下部に設けられており、音声入力を行う。
【００２０】
蓋部の背面にには、サブ表示部１６、背面キー１７、撮像レンズ１８が配置されている
。背面キー１７は、透明、または半透明部材で構成され、着信の際、発光するするＬＥＤ１７１を内蔵している。報知スピーカ１９は、着信などを報知するものであり、蓋部本体部に閉じた状態でも報知音が聞こえるように、本体部の裏面に配置されている。
【００２１】
図３は、携帯電話１の構成を示すブロック図である。無線送受信部２０は、アンテナ１１を介してＣＤＭＡ方式の無線信号を受信し、後段の無線信号処理部２１に出力する一方、無線信号処理部２１から入力された各種データを無線信号に変調してアンテナ１１より出力する。無線信号処理部２１は、無線送受信部２０で受信した各種データを復調して、音声データであれば、音声信号処理部に出力し、パケット送信されたデータ（メールデータ等）であれば、ＲＡＭ２９に出力する。また一方、送信の際には、送信するための音声データやデータを変調するなどの無線通信に必要な処理をする。制御部２２は、各種動作及び全体の動作を制御する。
【００２２】
画像メモリ２３は、撮像部（撮像レンズ１８、撮像モジュール１８１、ＤＳＰ１８２）で撮像され、後述する画像プログラム領域２４２に格納されているプログラムにより圧縮符号化された画像ファイルや、ＷＷＷ５を介してダウンロードした画像ファイルをファイル名とともに格納するためのメモリである。ＲＯＭ２４は、書換可能なＦｌａｓｈ  ＲＯＭで構成され、本発明の特徴となる、後述のフローチャートにより示すプログラム等の各種プログラムを格納する。
【００２３】
ドライバ２５は、表示部１３を駆動し、ドライバ２６は、サブ表示部１６を駆動する。加入者情報記憶部２７は、本携帯電話１を呼び出すための電話番号や、操作者（加入者）のＩＤ等、プロフィールデータを格納する。システムＲＯＭ２８は、制御部２２を制御する各種プログラムなどを格納する。ＲＡＭ２９は、無線通信端末として必要な各種データを記憶し、かつ制御部２２が動作する上で必要なデータを格納するとともに、メールデータも格納記憶する。
【００２４】
音声処理部２００は、マイク１５から入力された音声信号を符号化処理したり、無線信号処理部２１から出力された音声データに基づいて復号化してスピーカ１２を駆動させ、対応する音声を出力する。撮像モジュール１８１は、ＣＣＤ、若しくはＣＭＯＳで構成され、カラー画像を取り込む。ＤＳＰ１８２は、撮像モジュール１８１により取り込まれた画像を符号化処理する。報知デバイス１９２は、報知スピーカ１９、バイブレータ１９１、ＬＥＤ１７１を駆動させるためのドライバである。
【００２５】
図４は、ＲＯＭ２４のメモリエリアの構成を示す概念図である。このＲＯＭ２４は、本実施の形態の特徴であるソフトウェアプログラムを格納する。ＲＯＭ２４は、メールソフトウェアプログラム領域２４１と、画像処理プログラム領域２４２及びその他のプログラム領域２４３からなる。
【００２６】
メールソフトウェアプログラム領域２４１は、アプリケーション本体を格納する。画像処理プログラム領域２４２は、撮像部（撮像レンズ１８、撮像モジュール１８１、ＤＳＰ１８２）で撮像され、デジタル符号化された画像を、ＪＰＥＧ方式やＰＮＧ、ＧＩＦ方式で圧縮処理するための画像処理プログラムを格納する。その他プログラム領域は、ダウンロードしたプログラムを含む上記以外のアプリケーションプログラムなどを格納する。
【００２７】
図５は、ＲＡＭ２９のメモリエリアの構成を示す概念図である。ＲＡＭ２９は、アドレス帳データ格納領域２９１、メールデータ格納領域２９２、添付ファイル格納領域２９３及びその他・ワークメモリ２９４からなる。アドレス帳データ格納領域２９１は、氏名、電話番号、メールアドレス等を一組のレコードとして複数記憶する。なお、本実施の形態においては、アドレス帳データ格納領域２９１に携帯電話１と同一ユーザである前記ＰＣ７のメールアドレスが予め記憶されている。メールデータ格納領域２９２は、メールソフトウェアを使用して作成されたメールデータや、受信したメールデータを格納する。添付ファイル格納領域２９３は、メールにファイルが添付されている場合、このファイルを格納する。その他・ワークメモリ２９４は、その他のワークメモリとして各種データ格納する。
【００２８】
次に、以上の構成に係る本実施形態の動作について説明する。ユーザがＱＲコード撮影モードを設定して、図６に示すＱＲコード１０を撮影すべく、撮像レンズ１８をＱＲコード１０に向けて、センターキー１４６を操作すると、撮影処理が実行され、撮像モジュール１８１、ＤＳＰ１８２を経てデジタル信号に変換されたＱＲコード１０の撮影信号を圧縮してＪＰＥＧフォーマットの画像ファイルを生成し、この画像ファイルを画像メモリ２３に格納する。
【００２９】
そして、このようにしてＱＲコード１０の撮影が終了すると、携帯電話１の制御部２２は、ＲＯＭ２４に格納されているプログラムに基づき、図７に示すフローチャートに従って処理を実行する。すなわち、画像メモリ２３に格納した画像ファイルを読み出して、前記撮影したＱＲコード１０をＲＡＭ２９のその他のワークメモリ２９４に展開し、ＱＲコード１０を認識処理する（ステップＳ１０１）。さらに、この認識の結果を表示部１３に表示出力する（ステップＳ１０２）。このステップＳ１０２での処理により、図８（ａ）に示すように、表示部１３にはＱＲコード１０中に含まれていた文字１３１やＷｅｂサイトのＵＲＬ１３２が表示される。また、このとき表示部１３に決定キー１３３とメニューキー１３４とを表示させる。
【００３０】
この状態で、ユーザが十字キー１４５を操作してメニューキー１３４を選択してセンターキー１４６を操作すると、制御部２２は自分のＰＣ７宛にメールを送信するための操作として、このメニューキー１３４の操作を受け付け（ステップＳ１０３）、操作メニューの内容を表示する（ステップＳ１０４）。このステップＳ１０４での処理により、表示部１３には「１  自分宛メール」を含むメニュー１３５が表示される。この表示状態から、ユーザが十字キー１４５とセンターキー１４６とを操作して「１  自分宛メール」を選択すると、この自分宛メールの項目の選択を受け付ける（ステップＳ１０５）。
【００３１】
引き続き、メールソフトウェアプログラム領域２４１に格納されているアプリケーションを起動させ、図８（ｃ）に示すメール作成画面１３６を表示させる（ステップＳ１０６）。そして、アドレス帳データ格納領域２９１から登録されている自分のＰＣ用のメールアドレスを読み出し、この読み出した自分のＰＣ用のメールアドレスを前記メール作成画面１３６において、宛先に入力して表示する（ステップＳ１０７）。このステップＳ１０７での処理により、図８（ｃ）に示すように、メール作成画面１３６において「宛先」に当該ユーザのＰＣ７のメールアドレスである「mypc@xxxx.co.jp」が表示されることとなる。さらに、ＵＲＬをメール作成画面１３６の本文中に入力表示処理する（ステップＳ１０８）。このステップＳ１０８での処理により、図８（ｃ）に示すように、メール作成画面１３６において本文中に、同図（ａ）に示したＵＲＬ１３２がそのまま入力されて表示されることとなる。
【００３２】
したがって、しかる後にユーザがメールキー１４１を操作してメールの送信を指示すると、図８（ｃ）に示したＵＲＬ１３２が本文中に存在するメールがメールサーバ３３に送信される。よって、ユーザはＰＣ７でこのメールを受信した後、ＷＷＷ５を介してＵＲＬ１３２が示す情報センターに迅速かつ容易にアクセスして、前記文字１３１によって示された商品に関する詳細情報をダウンロードし、当該ＰＣ７が有する携帯電話１の表示部１３よりも遙かに大きな表示面積からなる画面７１に前記詳細情報を表示させることができる。これにより、ユーザは、ＱＲコード１０が有するＵＲＬが示す情報源から得られる情報を明瞭かつ容易に視認することが可能となる。
【００３３】
（第２の実施の形態）
図９は、本発明の第２の実施の形態における制御部２２の処理手順を示すフローチャートである。このフローチャートにおいて、ステップＳ２０１〜Ｓ２０７の処理は、前述した図７のフローチャートにおけるステップＳ１０１〜Ｓ１０７の処理と同一である。したがって、ＱＲコード１０に２種類のＵＲＬが含まれている場合には、ステップＳ２０２での認識結果の表示出力処理により、図１０に例示するように、表示部１３には「ケイタイ用」の文字とともに携帯電話用のＵＲＬ１３８が表示され、かつ「パソコン用」の文字とともにパーソナルコンピュータ用のＵＲＬ１３２が表示されることとなる。
【００３４】
そして、ステップＳ２０７に続くステップＳ２０８では、前記ステップＳ２０２での認識結果（図１０）において、パソコン又はＰＣという記述があるか否かを判断する（ステップＳ２０８）。パソコン又はＰＣという記述がある場合には、この記述に対応するＵＲＬをＰＣ用ＵＲＬと判断する（ステップＳ２０９）。したがって、図１０に示した例の場合、「パソコン用」という記述があるので、これに対応するＵＲＬ１３２をＰＣ用ＵＲＬと判断することができる。
【００３５】
また、ステップＳ２０８での判断の結果、パソコン又はＰＣという記述がない場合には、ケイタイ又は携帯という記述があるか否かを判断する（ステップＳ２１０）。ケイタイ又は携帯という記述がある場合には、その記述がないものをＰＣ用ＵＲＬと判断する（ステップＳ２１１）。図１０に示した例の場合、ＵＲＬ１３８には「ケイタイ用」という記述があるので、これがないＵＲＬ１３２をＰＣ用ＵＲＬと判断することができる。
【００３６】
このようにして、ステップＳ２０９又はステップＳ２１１でＰＣ用のＵＲＬを検出したならば、ＵＲＬをメール作成画面１３６の本文中に入力表示処理する（ステップＳ２１２）。このステップＳ２１２での処理により、図８（ｃ）に示したように、メール作成画面１３６において本文中に、図１０に示したＵＲＬ１３２がそのまま入力されて表示されることとなる。
【００３７】
したがって、しかる後にユーザがメールキー１４１を操作してメールの送信を指示すると、図８（ｃ）に示したＵＲＬ１３２が本文中に存在するメールがメールサーバ３３に送信される。よって、ユーザはＰＣ７でこのメールを受信した後、ＷＷＷ５を介してＵＲＬ１３２が示す情報センターに迅速かつ容易にアクセスして、前記文字１３１によって示された商品に関する詳細情報をダウンロードし、当該ＰＣ７が有する携帯電話１の表示部１３よりも遙かに大きな表示面積からなる画面７１に前記詳細情報を表示させることができる。これにより、ユーザは、ＱＲコード１０が有するＵＲＬが示す情報源から得られる情報を明瞭かつ容易に視認することが可能となる。
【００３８】
一方、ステップＳ２０８の判断がＮＯで、かつステップＳ２１０の判断がＮＯであった場合、つまり前記ステップＳ２０２での認識結果（図１０）において、パソコン又はＰＣという記述がなく、ケイタイ又は携帯という記述もなかった場合には、２つのをメール作成画面１３６の本文中に入力表示処理する（ステップＳ２１３）。
【００３９】
したがって、しかる後にユーザがメールキー１４１を操作してメールの送信を指示すると、ＵＲＬ１３２とＵＲＬ１３８が本文中に存在するメールがメールサーバ３３に送信される。よって、ユーザはＰＣ７でこのメールを受信した後、ＷＷＷ５を介してＵＲＬ１３２が示す情報センターに迅速かつ容易にアクセスして、前記文字１３１によって示された商品に関する詳細情報をダウンロードし、当該ＰＣ７が有する携帯電話１の表示部１３よりも遙かに大きな表示面積からなる画面７１に前記詳細情報を表示させることができる。
【００４０】
（第３の実施の形態）
図１１は、本発明の第３の実施の形態における制御部２２の処理手順を示すフローチャートである。このフローチャートにおいて、ステップＳ３０１〜Ｓ３０８の処理は、前述した図７のフローチャートにおけるステップＳ１０１〜Ｓ１０８の処理と同一である。そして、本実施の形態において追加されているステップＳ３０９ではメールの送信実行処理を行う。したがって、本実施の形態においては、ユーザがメールキー１４１を操作してメールの送信を指示しなくても、自動的に図８（ｃ）に示したＵＲＬ１３２が本文中に存在するメールがメールサーバ３３に送信される。よって、ＵＲＬ１３２が本文中に存在するメールを送信する際の操作をより簡単にすることができる。
【００４１】
（第４の実施の形態）
図１２は、本発明の第４の実施の形態における制御部２２の処理手順を示すフローチャートである。このフローチャートにおいて、ステップＳ４０１〜Ｓ４０７の処理は、前述した図７のフローチャートにおけるステップＳ１０１〜Ｓ１０７の処理と同一である。そして、本実施の形態において唯一異なるステップＳ４０８では、ＵＲＬをメール作成画面１３６のＳｕｂｊｅｃｔ（図８（ｃ）の題名）に入力表示処理する（ステップＳ１０８）。したがって、しかる後にユーザがメールキー１４１を操作してメールの送信を指示すると、ＵＲＬ１３２がメールのＳｕｂｊｅｃｔ中に存在するメールがメールサーバ３３に送信される。このように、ＵＲＬ１３２はメールの本文に限らず、Ｓｕｂｊｅｃｔ中に存在させて送信するようにしてもよい。
【００４２】
（第４の実施の形態）
図１３は、本発明の第５の実施の形態における制御部２２の処理手順を示すフローチャートである。このフローチャートにおいて、ステップＳ４０１〜Ｓ４０７の処理は、前述した図７のフローチャートにおけるステップＳ１０１〜Ｓ１０７の処理と同一である。そして、本実施の形態において唯一異なるステップＳ４０８では、認識したＵＲＬのみならず文章（テキスト文章）をメール作成画面１３６の本文中に入力表示処理する（ステップＳ４０８）。このステップＳ４０８での処理により、図８（ａ）に示したＵＲＬ１３２のみならず、文字１３１がメール作成画面１３６において本文中に入力されて表示されることとなる。
【００４３】
したがって、しかる後にユーザがメールキー１４１を操作してメールの送信を指示すると、ＵＲＬ１３２と文字１３１とが本文中に存在するメールがメールサーバ３３に送信される。よって、ユーザはＰＣ７でこのメールを受信した際に、文字１３１からＵＲＬ１３２がどのような製品等の情報に関するものであるか一見して把握することが可能となる。
【００４４】
なお、前述した各実施の形態においては、アドレス帳データ格納領域２９１から登録されている自分のＰＣ用のメールアドレスを１つ読み出し、この読み出した自分のＰＣ用のメールアドレスをメール作成画面１３６において、宛先に入力するようにしたが、図１４に示すように、アドレス帳データ格納領域２９１に自分のＰＣ用のメールアドレスを複数記憶させておき、各メールアドレス（自宅仕事用、自宅個人用、会社用）を宛先に入力するようにしてもよい。
【００４５】
また、前述した第３の実施の形態においては、図７のフローチャートに示した第１の実施の形態における処理手順にメール送信実行処理（ステップＳ３０９）を追加するようにしたが、図９のフローチャートに示した第２の実施の形態におけるステップＳ２１２及びＳ２１３の次に同様のメール送信実行処理（ステップＳ３０９）を追加して、ユーザがメールキー１４１を操作せずとも、ＵＲＬ１３２が本文中に存在するメール又はＵＲＬ１３２とＵＲＬ１３８とが本文中に存在するメールを自動的に送信するようにしてもよい。
【００４６】
さらに、図１２のフローチャートに示した第４の実施の形態におけるステップＳ４０８の次に同様のメール送信実行処理（ステップＳ３０９）を追加し、あるいは、図１３のフローチャートに示した第５の実施の形態におけるステップＳ５０８の次に同様のメール送信実行処理（ステップＳ３０９）を追加し、ユーザがメールキー１４１を操作せずとも、メールを自動的に送信するようにしてもよい。
【図面の簡単な説明】
【００４７】
【図１】本発明の一実施の形態に係るメール送受信システムの構成を示すブロック図である。
【図２】（ａ）は本実施の形態における携帯電話の正面図、（ｂ）は背面図である。
【図３】携帯電話の構成を示すブロック図である。
【図４】ＲＯＭのメモリエリアの構成を示す概念図である。
【図５】ＲＡＭのメモリエリアの構成を示す概念図である。
【図６】ＱＲコードを示す図である。
【図７】本発明の第１の実施の形態おける処理手順を示すフローチャートである。
【図８】同実施の形態における表示遷移図である。
【図９】第２の実施の形態おける処理手順を示すフローチャートである。
【図１０】同実施の形態の表示例を示す図である。
【図１１】本発明の第３の実施の形態おける処理手順を示すフローチャートである。
【図１２】本発明の第４の実施の形態おける処理手順を示すフローチャートである。
【図１３】本発明の第５の実施の形態おける処理手順を示すフローチャートである。
【図１４】アドレス帳データ格納領域における自分のＰＣ用のメールアドレス記憶例を示す図である。
【符号の説明】
【００４８】
１    携帯電話
２    無線基地局
３    通信サービス事業者
４    通信回線網
５    ＷＷＷ
６    ＩＳＰ
７    ＰＣ
１０    ＱＲコード
１３    表示部
１８    撮像レンズ
２０    無線送受信部
２１    無線信号処理部
２２    制御部
２３    画像メモリ
２４    ＲＯＭ
２８    システムＲＯＭ
２９    ＲＡＭ
１３１    文字
１３２    ＵＲＬ
１３６    メール作成画面
１３８    ＵＲＬ
１４１    メールキー
１４５    十字キー
１４６    センターキー
１８１    撮像モジュール
１８２    ＤＳＰ
２９１    アドレス帳データ格納領域
２９４    ワークメモリ
【図１】
2006072788.tif 000003
【図２】
2006072788.tif 000004
【図３】
2006072788.tif 000005
【図４】
2006072788.tif 000006
【図５】
2006072788.tif 000007
【図６】
2006072788.tif 000008
【図７】
2006072788.tif 000009
【図８】
2006072788.tif 000010
【図９】
2006072788.tif 000011
【図１０】
2006072788.tif 000012
【図１１】
2006072788.tif 000013
【図１２】
2006072788.tif 000014
【図１３】
2006072788.tif 000015
【図１４】
2006072788.tif 000016